(57)【要約】      （修正有）【課題】  外反母趾矯正具を足趾第１趾、第２趾、第３趾の３次元形状により製作し快適に使用できる外反母趾矯正具を提供することを目的としている。【解決手段】  矯正具１７は、足趾第１、第２、第３趾の３次元形状に合わせ製作し、貫通する穴２１に足趾第２趾を挿入することで固定し、足趾第１、第２、第３趾および各足趾間の付け根を支持することで安定させる、矯正具１７が足趾第１趾を支持し第１趾の縦軸の回内位を防ぎ外反母趾防止する。軟質発泡ウレタン樹脂等の弾性素材を用い素材の特徴である伸縮性、柔軟性により足趾第２趾に容易に挿入し、その柔軟性は歩行中の応力集中を防ぎ、足趾関節の可動域を確保する。また伸縮性の布を矯正具と足趾の接触する部分に貼ることで通気性、吸湿性を確保し快適に利用できる。【選択図】図２
2006263407.tif 000002
【特許請求の範囲】
【請求項１】
足趾第１、第２、第３趾の３次元形状に合わせて製作した外反母趾矯正具であって、矯正具の貫通する穴に足趾第２趾を挿入することで矯正具を固定し、足趾第１、第２、第３趾とその足趾間の付け根を矯正具の３次元形状が支持することで安定させ、さらに足趾第１趾を支持する矯正具の３次元形状が、第１趾の縦軸の回内位を防ぎ第１趾の外反を防止する矯正具。
【請求項２】
前記矯正具は、軟質発泡ウレタン樹脂等の弾性素材を用い製作し、素材の特徴である伸縮性、柔軟性により足趾第２趾に容易に挿入し、その柔軟性は歩行中足趾にかかる応力の集中を防ぎ、さらに足趾関節の可動を妨げない。また伸縮性の布を矯正具の足趾と接触する部分に貼ることで通気性、吸湿性を確保し快適に利用できる外反母趾矯正具である。
【発明の詳細な説明】
【技術分野】
【０００１】本発明は、３次元形状の外反母趾矯正具に関する。
【背景技術】
【０００２】従来、外反母趾矯正具は、矯正具の貫通する穴を足趾第２趾に挿入固定し、足趾と足趾間の付け根を支持し安定させ、矯正具の３次元形状で第１趾の縦軸の回内位を防ぎ第１趾の外反を防止するものではなかった。【０００３】従来、外反母趾矯正具で簡便に装着できるものは、素足で歩行した際、矯正具の固定が不安定であった。（例えば、特許文献１参照）【０００４】従来、外反母趾矯正具は、足趾関節の可動を妨げるものであった。（例えば、特許文献２参照）【０００５】従来、外反母趾矯正具は、靴と併用し歩行すると外反母趾と無関係な部分に負担のかかるものであった。（例えば、特許文献３参照）【０００６】なお、本願発明に関する公知技術として次の特許文献１、特許文献２、特許文献３を挙げることができる。
【特許文献１】特許公開２００２−５２０３４公報（４頁、図３）
【特許文献２】特許公開２００４−２１６０８７公報（３頁、図３）
【特許文献３】特許公開２００１−２９９７９２公報（３頁、図２）
【発明の開示】
【発明が解決しようとする課題】
【０００７】上述の如く、従来技術に関わる外反母趾矯正具は、足趾第１、２趾の間に平面的な間隔をつくり外反母趾を矯正しており、足趾の３次元形状が考慮されていない。
矯正具の素材や固定方法によっては、歩行中の足の動きで矯正具と足趾や足が点接触し応力の集中を招き足趾や足に痛みを生じた、また簡便に固定された矯正具は歩行中に矯正具が前後左右に移動し不安定で不快なものであった。さらに足趾の関節の可動を妨げるものであった。
【課題を解決するための手段】
【０００８】本発明は、上記問題点を解決することを目的とし、足趾の形状に合わせた３次元形状の矯正具を足趾と面で接触させ応力の集中を回避し、さらに弾性素材の特徴をいかした足趾への負担軽減、足趾への容易な固定、足趾関節の可動域の確保を特徴とする。
【発明の効果】
【０００９】以上説明したように本発明によれば、矯正具の貫通する穴に足趾第２趾を挿入することで容易に固定され、矯正具の３次元形状が足趾第１、第２、第３趾とその足趾間の付け根を支持することで安定し、安定して固定された矯正具が足趾第１趾の縦軸の回内位を防ぐことにより足趾第１趾の外反が防止される。軟質発泡ウレタン樹脂等の弾性素材を用いた矯正具は、素材の特徴である伸縮性、柔軟性により足趾第２趾に容易に挿入され、その柔軟性は歩行中の応力集中を防ぎ、足趾関節の可動域を確保する。また矯正具と足趾の接触する部分に貼られた伸縮性の布は通気性、吸湿性を確保する。以上の通り外反母趾矯正具としての機能を十分発揮し、安全で快適な歩行に極めて有効である。
【発明を実施するための最良の形態】
【００１０】以下、本発明の実施の形態を図面に基づき詳細に説明する。【００１１】図１〜５は本発明の実施の形態に係り、図１は本発明の外反母趾矯正具を足趾に装着前と装着中の概観図、図２は外反母趾矯正具の概観図、図３は足趾第１趾の縦軸が回内位になっている概観図、図４は足趾第１趾の縦軸が回内位になっている断面図、図５は外反母趾矯正具で第１趾の縦軸が回内位を矯正した断面図である。【００１２】図１〜２に示すように、本外反母趾矯正具１７は、素材の伸縮性と足趾第２趾の形状に成形された貫通する穴２１により第２趾を１２、１５のように挿入し固定する。【００１３】図１〜２に示すように、本外反母趾矯正具１７は、素材の伸縮性と足趾第２趾の形状に成形された貫通する穴２１と足趾の付け根を支持する面２０により１２、１５のように足趾に安定して固定できる。【００１４】図１〜２に示すように、本外反母趾矯正具１７は２２の部分により足趾第１趾と第２趾の間に１３，１６の適切な間隔を作る。【００１５】図１〜５に示すように、１２、１５のように固定された外反母趾矯正具１７、２６は、足趾第１趾を１８、２６の３次元形状で支持することで足趾第１趾の縦軸の回内位２３、２４を防ぎ第１趾の外反を２５のように防止するものである。【００１６】図１〜２に示すように、本外反母趾矯正具１７は、弾性素材の柔軟性と足趾の形状に成形された１８、１９、２１により歩行中、足趾への集中加重を防ぎ、その柔軟性は足趾関節の可動を妨げないものである。【００１７】  図１〜２に示すように、本外反母趾矯正具１７は、素材の柔軟性と足趾の形状に成形された１８、１９、２１により靴との併用の際、形状が柔軟に変化し足趾の負担を軽減する。【００１８】  図２に示すように、本外反母趾矯正具１７は、足趾と接触する部分１８、１９、２１に伸縮性の布を貼る事により通気性、吸湿性を確保し快適に利用できる。
【産業上の利用可能性】
【００１９】本発明は外反母趾矯正具として有用な成形品を製造、販売する産業分野で利用することができる。
【図面の簡単な説明】
【００２０】
【図１】本発明の外反母趾矯正具を足趾に装着前と装着中の概観図である。
【図２】本発明の外反母趾矯正具の概観図である。
【図３】足趾第１趾の縦軸が回内位になっている概観図である。
【図４】足趾第１趾の縦軸が回内位になっている断面図である。
【図５】外反母趾矯正具で第１趾の縦軸が回内位を矯正した断面図である。
【符号の説明】
【００２１】１１  外反母趾の足、前面上部から見た図
１２  外反母趾矯正具を装着の状態、前面上部から見た図
１３  外反母趾矯正具を装着した足の状態、前面上部から見た図
１４  外反母趾の足、足裏から見た図
１５  外反母趾矯正具を装着の状態、足裏から見た図
１６  外反母趾矯正具を装着した足の状態、足裏から見た図
１７  外反母趾矯正具の概観図
１８  足趾第１趾を支持する３次元形状
１９  足趾第３趾を支持する３次元形状
２０  足趾の付け根を支持する３次元形状
２１  足趾第２趾を挿入する穴
２２  足趾第１趾と第２趾の間隔を作る部分
２３  足趾第１趾の縦軸が回内位になっている図
２４  足趾第１趾の縦軸が回内位になっている断面図
２５  外反母趾矯正具で第１趾の縦軸が回内位を矯正した断面図
２６  第１趾の縦軸の回内位を矯正する外反母趾矯正具の断面図
【図１】
2006263407.tif 000003
【図２】
2006263407.tif 000004
【図３】
2006263407.tif 000005
【図４】
2006263407.tif 000006
【図５】
2006263407.tif 000007